(57)【要約】【課題】石膏ボード等の壁に本棚を取り付けるには、本の重さを支えるためにＬ型金物等で石膏ボードの裏側にある木材等の下地を探して、ネジで取り付けする必要があり専門的な技術が必要であった。また取り外し後のネジ穴もやや大きく残った。【解決手段】複数のピンを斜めに打ち石膏ボード等自体で荷重を負担することで、下地に関係なくどこでも石膏ボード等の壁に本棚が取り付けられる。また取り外し後も小さいピンの穴しか残らない。【選択図】  図１
2004267489.tif 000002
【特許請求の範囲】
【請求項１】
本棚の背板を一部分、鉄板等を使って補強して鋼鉄等の充分に強度を持つ複数のピンを背板上部に斜め４０度から６０度程度、下向きにハンマーで打つ事により、石膏ボード等の壁に取り付けることが出来、本の重量が本棚の片側に偏らない様に本が本棚の中央近くから立てられる事を考えて棚板を左右２枚に分け、本棚の中央部に向けて斜め１０度から２０度下げ、中央部に本棚の２枚の棚板に対して直角に立つ２面を持つ中仕切りを取り付け、上部の鋼鉄等のピンと棚板の距離を離すことにより、本の荷重に耐えられることを特徴とする壁掛け本棚。
【請求項２】
複数のピンを背板上部に打ち込み本棚及び立てられた本の重量を支えるが，本棚の背板下部、及び背板中央部左右を石膏ボード等に固定する為に、下部には斜め４０度から６０度程度上向きに、複数のネジ付きピンを鉄板等で補強された背板に取り付け、中央部左右も同様に横向きに複数のネジ付きピンを鉄板等で補強された背板に取り付け、背板を石膏ボードに固定するが、このネジ付きピンは先端部分がピンでありハンマーで打ち込み、頭部はネジをドライバーでねじ込む為、振動等で抜ける事はなく、本棚の背板に下から持ち上げる力や、左右に振る力等が働いた時に、このネジ付きピンで対抗できることを特徴とする請求項１の壁掛け本棚。
【発明の詳細な説明】
【０００１】
【発明の属する技術分野】
この発明は、石膏ボード等の壁面にピンとネジ付きピンにより、ハンマーとドライバーの２種類の工具で取り付け固定される、鉄板等で補強された背板を持つ壁掛け本棚に関するものである。
【０００２】
【従来の技術】
従来は、石膏ボード等の壁の上部に本棚を取り付ける場合は、図８の様に石膏ボード等の裏側にある木材等のネジの効く下地を探してＬ型金物等でネジを使い固定していた。この方法は下地を探すのに専門的な知識が必要で取り付けたい場所に必ず下地があるわけでもなく、さらに取り外した場合のネジ穴も大きく残った。また石膏ボード等の壁に物を取り付ける方法としては図９の様なフック付き斜めピンにより、小さい飾り棚や額入りの絵などを吊り下げる方法で取り付けしている。この方法では重量のある本棚等の取り付けは不可能であった。
【０００３】
【発明が解決しようとする課題】
しかしながら、以上の従来の技術では、取り外し後のネジ穴の補修の問題もあり、下地を探す専門的な技術の問題もあり、本棚を石膏ボード等の壁の上部に取り付けることは難しかった。そこでこの発明は石膏ボード等の壁の裏側にある下地に関係なく、ハンマーとドライバーで取り付けられる壁掛け本棚を提供することを課題とする。
【０００４】
【課題を解決するための手段】
以上の課題を解決するために、請求項１の発明は、本棚の背板をピンを通す下穴を開けた鉄板等を使って補強して、複数の鋼鉄等の充分に強度があるピンを、背板上部に斜め４０度から６０度下向きに打つ事により石膏ボード等の壁に取り付け、本の重量が本棚の片側に偏らない為に、本が本棚の中央付近から立て始められる様、棚板を２枚に分け左右端から、中央部に向かって斜め１０度から２０度下げ本棚の中央部に、左右の棚板に直角に立つ２面を持つ中仕切りを取り付けることを特徴とする壁掛け本棚である。さらに請求項２の発明はピンの頭部に一部ネジ部分を付けることにより、下向き以外の向きにネジ付きピンを打ち込んだ場合でも頭部のネジ部分により、抜ける事がなく、より強固に石膏ボード等の壁に背板を固定できる。よってこの本棚は背板の上部に鋼鉄等の充分に強度のあるのピンを使用し、左右、下部にネジ付きピンを使用して背板を石膏ボード等に本の重量に耐える力で固定されることを特徴とする壁掛け本棚である。
【０００５】
【発明の実施の形態】
この発明の一実施形態を、図１に示す。
この実施形態の壁掛け本棚は基本的な部分は木材と合板と鉄板である。本棚は背板１、左右の棚板２、左右の棚板に直角に立つ２面を持つ三角形の中仕切り５、下部の棚板固定板９と、背板の裏側の上部、左右固定用の中部、下部の三枚の補強鉄板６，７，８で構成され、鋼鉄のピン１０とネジ付きピン１１の２種類のピンで壁に固定される。背板の裏側に付けられた３枚の補強鉄板は複数のネジにより背板に固定されている。また三角形の中仕切りと左右の棚板固定板も、背板に複数のネジにより固定されている。左右の１５度斜めの棚板は、中仕切りと左右の棚板固定板に複数のネジにより固定される。背板に取り付けられた３枚の鉄板は下穴が開いており、その下穴を通して上部では、下向き４５度の焼きいれされた鋼鉄のピンを打ち込み、中央部ではネジ付きピンを背板に対して横に４５度の角度で打ち込みネジを回して固定する。下部でも同様に上向き４５度にネジ付きピンを使って背板を固定する。
この実施形態によれば、中央部の中仕切りと斜めの棚板の効果で本を本棚の中央部に集めて収納できる。そして本の重量を含んだ本棚の重量は上部の複数のピンが分散して負担する。力学的には重量を負担するピンの部分と実際に荷重がかかる棚板との距離が離れているのでピンには、ほとんど石膏ボードからピンを引き抜く力（曲げモーメント）はかからず、ピンは垂直荷重を負担する。そして上部と下部に取り付けられた斜めのピンの働きで本棚を石膏ボードの壁に強固に取り付ける事が出来る。さらに中間部の横向きのネジ付きピンを使う事により左右からの力にもある程度対抗できる。
この発明は壁掛け本棚であるが、棚板の形態を変えると靴棚や飾り棚にも応用して使える。また請求項３のネジ付きピンは、上向きにも下向きにも横向きにも使えるので、ベニヤ板や木板等を石膏ボード等に固定する為にも使える。
そしてこの実施例の本棚の材料は木と鉄であるが、強度を保つ事が出来れば強化プラスチックやグラスファイバー、ステンレススチール等の他の金属でも製作可能である。
【０００６】
【発明の効果】
以上説明したように、この発明によれば、特に専門的な技術を必要とせず、特殊な工具も使わず、石膏ボード等の壁に重量のある本を収納できる壁掛け本棚が取り付けられる。
【０００７】
取り外しも簡単であり、取り外し後の壁の傷も小さく目立たない。
【０００８】
そしてネジ付きピンを斜めに使う事により、横からの力や下からの力に対抗でき、背板を石膏ボード等に強力に固定できる。
【図面の簡単な説明】
【図１】この発明の一実施形態を示す斜視図である。
【図２】この発明の一実施形態の正面図である。
【図３】この発明の一実施形態の横から見た断面図である。
【図４】この発明の一実施形態を上から見た断面図である。
【図５】この発明の本棚の上部斜め４５度下向きのピンの拡大図である。
【図６】この発明に使用するネジ付きピンの使用例の拡大図である。
【図７】この発明の設置例を示す図である。
【図８】従来の、Ｌ型金物での棚の取り付け方法を示す断面図である。
【図９】従来の、壁に物を吊るす場合の斜めピン付フックの使用例である。
【符号の説明】
１  本箱背板
２  本箱棚板
３  石膏ボード
４  壁下地木材
５  中央部中仕切り
６  上部補強鉄板
７  中部補強鉄板
８  下部補強鉄板
９  棚板固定板
１０  鋼鉄製のピン
１１  ネジ付きピン
１２  壁掛け本棚
１３  壁
１４  壁取り付けネジ
１５  棚板固定ネジ
１６  棚板
１７  Ｌ型金物
１８  フック付き斜めピン
１９  小さい飾りだな
【図１】
2004267489.tif 000003
【図２】
2004267489.tif 000004
【図３】
2004267489.tif 000005
【図４】
2004267489.tif 000006
【図５】
2004267489.tif 000007
【図６】
2004267489.tif 000008
【図７】
2004267489.tif 000009
【図８】
2004267489.tif 000010
【図９】
2004267489.tif 000011